(57)【要約】      （修正有）【課題】１つの空調空間に複数の吹出口を備える場合に、空調空間内の空調効率のさらなる向上を図ることができる空調システム用の制御装置、空調システムを提供する。【解決手段】制御装置は、処理部を備える。処理部は、複数の測定点５１，５２の現在温度と目標温度との温度差を、複数の測定点５１，５２のそれぞれの温度差として求め、複数の測定点５１，５２のそれぞれの温度差に応じて、複数の吹出口１５からそれぞれ供給する熱量を決定する。処理部は、測定点５１の温度差が、測定点５２の温度差より大きい場合、測定点５２に対応する吹出口１５２から供給する熱量を、測定点５１に対応する温度差に応じて決定する。【選択図】図４
2018109456.tif 000002
【特許請求の範囲】
【請求項１】
建物の空調空間に設けた複数の吹出口から前記空調空間内の複数の空調領域に向かって冷気又は暖気をそれぞれ吹き出す空調システムが備える空調システム用の制御装置であって、
前記複数の吹出口から前記空調空間に前記冷気又は前記暖気によってそれぞれ供給する熱量を定める処理部を備え、
前記処理部は、
前記複数の空調領域にそれぞれ設けられて前記複数の吹出口にそれぞれ対応付けられている複数の測定点の現在温度と目標温度との温度差を、前記複数の測定点のそれぞれの温度差として求める機能と、
前記複数の測定点のそれぞれの前記温度差に応じて、前記複数の吹出口からそれぞれ供給する前記熱量を決定する機能と、
前記複数の測定点のうちの第１測定点の温度差が、前記複数の測定点のうちの第２測定点の温度差より大きい場合、前記第２測定点に対応する吹出口から供給する熱量を、前記第１測定点に対応する温度差に応じて決定する機能とを有する
ことを特徴とする空調システム用の制御装置。
【請求項２】
前記処理部は、
前記複数の測定点のそれぞれの現在温度を取得する取得部と、
前記複数の測定点のそれぞれの前記温度差を求める温度計算部と、
前記複数の測定点のそれぞれの前記温度差に応じて、前記複数の吹出口からそれぞれ供給する前記熱量を決定する決定部とを備え、
前記温度計算部は、
前記複数の吹出口から前記冷気が吹き出される場合、前記現在温度から前記目標温度を引いた値を前記温度差として求め、前記複数の吹出口から前記暖気が吹き出される場合、前記目標温度から前記現在温度を引いた値を前記温度差として求め、
前記決定部は、
前記第１測定点の前記温度差が正の閾値より大きく、かつ前記第２測定点の前記温度差が前記正の閾値以下で０より大きい場合、前記第１測定点の前記温度差に応じて、前記第１測定点及び前記第２測定点に対応する前記吹出口からそれぞれ供給する前記熱量を決定する
ことを特徴とする請求項１記載の空調システム用の制御装置。
【請求項３】
前記複数の測定点のそれぞれは、優先測定点または非優先測定点に予め設定されており、前記第１測定点が前記優先測定点であり、前記第２測定点が前記非優先測定点である場合、
前記決定部は、
前記第１測定点の前記温度差が前記正の閾値より大きく、かつ前記第２測定点の前記温度差が０以下である場合、前記第１測定点の前記温度差に応じて、前記第１測定点及び前記第２測定点に対応する前記吹出口からそれぞれ供給する前記熱量を決定する
ことを特徴とする請求項２記載の空調システム用の制御装置。
【請求項４】
前記複数の吹出口は、前記空調空間の上下方向において互いに異なる位置にそれぞれ配置され、
前記処理部は、前記複数の吹出口のうち、前記空調空間の下方に配置された吹出口に対応する測定点を、前記優先測定点とする
ことを特徴とする請求項３に記載の空調システム用の制御装置。
【請求項５】
前記処理部は、前記複数の吹出口のうち、前記空調空間の最も下に配置された吹出口に対応する測定点を、前記優先測定点とすることを特徴とする請求項４記載の空調システム用の制御装置。
【請求項６】
前記冷気又は前記暖気は、空調システムの熱源機が生成しており、
前記熱源機が生成した前記冷気又は前記暖気を前記複数の吹出口にそれぞれ配分する分配装置を制御する制御部をさらに備える
ことを特徴とする請求項１乃至５のいずれか一項に記載の空調システム用の制御装置。
【請求項７】
前記分配装置は、
前記熱源機が生成した前記冷気又は前記暖気を前記複数の吹出口にそれぞれ配分するように複数系統に分岐した給気ダクトと、
前記給気ダクトの前記複数系統それぞれから前記複数の吹出口を通して前記空調空間に供給する前記冷気又は前記暖気の流量を調節する複数のダンパとを備える
ことを特徴とする請求項６記載の空調システム用の制御装置。
【請求項８】
建物の空調空間に設けた複数の吹出口をそれぞれ通して前記空調空間に供給する前記冷気又は前記暖気を生成する熱源機と、
前記熱源機が生成した前記冷気又は前記暖気を前記複数の吹出口にそれぞれ配分する分配装置と、
前記複数の吹出口にそれぞれ対応する複数の測定点の温度を計測する複数の温度センサと、
前記複数の温度センサが計測した温度を現在温度として取得するように構成された請求項１〜７のいずれか一項に記載の空調システム用の制御装置とを備える
ことを特徴とする空調システム。
【発明の詳細な説明】
【技術分野】
【０００１】
本発明は、空調システム用の制御装置、空調システムに関する。
【背景技術】
【０００２】
特許文献１には、空気調和された空気を建物の室内に供給する空気調和装置が開示されている。室内には２つの空調領域（空調ゾーン）が設定されており、空気調和装置は、ダンパ装置によって、２つの空調領域のそれぞれに供給される空気の風量バランスを調整する。さらに、２つの空調領域には温度センサがそれぞれ設置されており、各温度センサは、各空調領域の温度を検出する。そして、空気調和装置は、各温度センサが検出した空調領域の検出温度と室内の設定温度との温度差を求めて、温度差が大きい空調領域へ、より多くの空気を供給するようにダンパ装置を制御する。
【先行技術文献】
【特許文献】
【０００３】
【特許文献１】特開２００３−２０７１９７号公報
【発明の概要】
【発明が解決しようとする課題】
【０００４】
特許文献１では、室内などの空調空間に２つの吹出口（第１吹出口、第２吹出口）を備えている。第１吹出口から第１空調領域へ空気が吹き出され、第２吹出口から第２空調領域へ空気が吹き出される。そして、特許文献１では、温度差が大きい空調領域へ、より多くの空気を供給している。例えば、第１空調領域の温度差が大きく、第２空調領域の温度差が小さい場合、第１吹出口からの空気の供給量は多くなるが、第２吹出口からの空気の供給量は少なくなる。また、第１空調領域の温度差が小さく、第２空調領域の温度差が大きい場合、第２吹出口からの空気の供給量は多くなるが、第１吹出口からの空気の供給量は少なくなる。
【０００５】
上述の特許文献１のように１つの空調空間に複数の吹出口を備える場合に、空調空間内の空調効率のさらなる向上が望まれている。
【０００６】
本発明は、１つの空調空間に複数の吹出口を備える場合に、空調空間内の空調効率のさらなる向上を図ることができる空調システム用の制御装置、空調システムを提供することを目的とする。
【課題を解決するための手段】
【０００７】
本発明に係る一態様の空調システム用の制御装置は、建物の空調空間に設けた複数の吹出口から前記空調空間内の複数の空調領域に向かって冷気又は暖気をそれぞれ吹き出す空調システムが備える制御装置である。前記制御装置は、前記複数の吹出口から前記空調空間に前記冷気又は前記暖気によってそれぞれ供給する熱量を定める処理部を備える。前記処理部は、以下の各機能を有する。
・前記複数の空調領域にそれぞれ設けられて前記複数の吹出口にそれぞれ対応付けられている複数の測定点の現在温度と目標温度との温度差を、前記複数の測定点のそれぞれの温度差として求める機能。
・前記複数の測定点のそれぞれの前記温度差に応じて、前記複数の吹出口からそれぞれ供給する前記熱量を決定する機能。
・前記複数の測定点のうちの第１測定点の温度差が、前記複数の測定点のうちの第２測定点の温度差より大きい場合、前記第２測定点に対応する吹出口から供給する熱量を、前記第１測定点に対応する温度差に応じて決定する機能。
【０００８】
本発明に係る一態様の空調システムは、熱源機と、分配装置と、複数の温度センサと、上述の制御装置とを備える。前記熱源機は、建物の空調空間に設けた複数の吹出口をそれぞれ通して前記空調空間に供給する前記冷気又は前記暖気を生成する。前記分配装置は、前記熱源機が生成した前記冷気又は前記暖気を前記複数の吹出口にそれぞれ配分する。前記複数の温度センサは、前記複数の吹出口にそれぞれ対応する複数の測定点の温度を計測する。前記制御装置は、前記複数の温度センサが計測した温度を現在温度として取得する。
【発明の効果】
【０００９】
本発明の構成によれば、１つの空調空間に複数の吹出口を備える場合に、空調空間内の空調効率のさらなる向上を図ることができるという効果がある。
【図面の簡単な説明】
【００１０】
【図１】図１は実施形態の全体構成を示す概略構成図である。
【図２】図２は実施形態における制御装置を示すブロック図である。
【図３】図３は実施形態においてユーザ希望温度を調節する画面の例を示す図である。
【図４】図４は実施形態における空調空間の概略を示す構成図である。
【発明を実施するための形態】
【００１１】
本実施形態は、空調システム用の制御装置、空調システムに関する。本実施形態は、詳しくは、建物の空調空間に設けた複数の吹出口から複数の空調領域に向かって冷気又は暖気をそれぞれ吹き出す空調システムが備える空調システム用の制御装置、及びこの制御装置を備える空調システムに関する。
【００１２】
以下に説明する実施形態においては、建物が戸建て住宅である場合を想定し、空調システムが全館空調システムである場合を想定している。この全館空調システムは、熱源機が生成した熱エネルギーを冷気あるいは暖気として建物のほぼ全体に供給する構成である。また、この全館空調システムは、空調と換気とを行うように構成されている。
【００１３】
図１に示す空調システム１０は、建物２０に設置されており、熱源機１１と、エアフィルタ１２と、搬送ファン１３とを備える。また、図１に示す空調システム１０は、１台の搬送ファン１３に対して５個のダンパ１４と、５個の吹出口１５とを備えている。ダンパ１４と吹出口１５とは一対一に対応しているため、ダンパ１４と吹出口１５との個数は同数である。ここでのダンパ１４は、ＶＡＶユニット（VAV：Variable Air Volume）で実現される。搬送ファン１３の台数と、ダンパ１４及び吹出口１５の個数とは、熱源機１１の容量、建物２０の構成及び規模などに応じて適宜に定められる。ダンパ１４の個数は、１台の搬送ファン１３に対して５〜７個であることが好ましい。
【００１４】
また、空調システム１０は、熱源機１１からの冷気又は暖気を吹出口１５に送る空気を送り出す給気ダクト１６と、熱源機１１に外気を導入する外気ダクト１７１とを備える。熱源機１１には、建物２０の内部の空気も導入される。図１では、建物２０の内部の空気を熱源機１１に導入する経路を符号１７２で表している。この経路１７２は、空気の流れを模式的に表しており、建物２０の内部におけるドアの隙間、換気口のように空気が流通する箇所を含む。また、経路１７２は、還流用のダクトを備えていてもよい。
【００１５】
熱源機１１が送り出す空気には、熱源機１１の運転状態に応じて、熱源機１１が冷却した冷気と、熱源機１１が加熱した暖気とがある。さらに、図１に示す空調システム１０は制御装置３０及び５個の温度センサ１８を備えている。ここでは、熱源機１１とエアフィルタ１２と搬送ファン１３とは、建物２０に設置される単一の筐体１０１に収納されており、ユニット化されている。したがって、熱源機１１からエアフィルタ１２を通り搬送ファン１３に至る経路（図１に破線で示している）は、筐体１０１の内部に形成されている。
【００１６】
この空調システム１０は、熱源機１１が生成した熱エネルギーを５個の吹出口１５にそれぞれ配分するために、給気ダクト１６、搬送ファン１３、及び５個のダンパ１４を備えている。搬送ファン１３が送り出した空気は、給気ダクト１６を通して吹出口１５に送られる。すなわち、搬送ファン１３と５個のダンパ１４と給気ダクト１６とは、熱源機１１が生成した熱エネルギーを５個の吹出口１５に配分する分配装置１０２を構成している。熱源機１１が生成した熱エネルギーを５個の吹出口１５に配分する割合は、搬送ファン１３の風量と、５個のダンパ１４それぞれの開度とにより決まる。すなわち、制御装置３０が分配装置１０２を制御することにより、熱源機１１が生成した熱エネルギーを５個の吹出口１５に配分する割合が決まる。
【００１７】
５個の吹出口１５のそれぞれは、建物２０内の４個の空調空間２１のいずれかに設けられている。すなわち、４個の空調空間２１それぞれには、吹出口１５から空気が供給される。吹出口１５は、空調空間２１の天井面または壁面に設置されている。空調空間２１は、リビング、キッチン、洋室などの空調の対象となる空間である。空調空間２１は、部屋に限らず、廊下あるいは階段であってもよい。そして、吹出口１５から複数の空調空間２１それぞれに単位時間に供給される熱量は、吹出口１５から空調空間２１に供給される空気の温度及び流量により決まる。
【００１８】
空調空間２１には、２個以上の吹出口１５が設けられている空調空間２１Ａと、１個の吹出口１５が設けられている空調空間２１Ｂとがある。図１には、１つの空調空間２１Ａと、３つの空調空間２１Ｂとを示している。図１の空調空間２１Ａには、２個の吹出口１５が設けられている。
【００１９】
２個の吹出口１５が設けられている空調空間２１Ａには、２個の空調領域２１１，２１２がある。空調空間２１Ａの吹出口１５は、空調空間２１Ａの空調領域の数と同数になる。そして、空調空間２１Ａの２つの吹出口１５は、２つの空調領域２１１，２１２にそれぞれ向かって冷気又は暖気を吹き出す（図４参照）。
【００２０】
１個の吹出口１５が設けられている空調空間２１Ｂでは、空調空間２１Ｂが１つの空調領域である。すなわち、空調空間２１Ｂの吹出口１５は、空調空間２１Ｂを空調領域とし、この空調領域に向かって冷気又は暖気を吹き出す。図１では、３つの空調空間２１Ｂに対して、空調領域２１３，２１４，２１５をそれぞれ設定している。
【００２１】
さらに、空調領域２１１〜２１５のそれぞれには、温度センサ１８が設置されている。温度センサ１８それぞれは、輻射熱の影響を受けずに気温を計測するように、通気口を有したケースに収納されていることが望ましい。温度センサ１８が配置される場所は、吹出口１５が吹き出した空気が温度センサ１８に直接当たることがないように定められる。
【００２２】
なお、１つの空調空間２１が複数の空調領域に分けられている場合でも、１つの空調空間２１に１つの温度センサ１８が設置されてもよい。例えば、リビングと２階の廊下とが吹き抜けでつながっており、リビングに３つの吹出口１５が設けられ、２階の廊下に２つの吹出口１５が設けられているとする。この場合、リビングに１つの温度センサ１８が設置され、２階の廊下にも１つの温度センサ１８が設置されてもよい。
【００２３】
上述のように、５個の吹出口１５と、５個の空調領域２１１〜２１５と、５個の温度センサ１８とは、互いに一対一に対応している。制御装置３０は、温度センサ１８それぞれが計測した温度を、空調領域２１１〜２１５のそれぞれの現在温度として所定時間ごとに取得する。そして、制御装置３０は、空調領域２１１〜２１５のそれぞれの現在温度に基づいて、熱源機１１と分配装置１０２とを制御し、５個の吹出口１５のそれぞれへの単位時間当たりの熱量の配分量を調節する。
【００２４】
熱源機１１は、１台の室内機１１１と１台の室外機１１２とを備えたヒートポンプ式のエアコンであって、室内機１１１からの空気は給気ダクト１６を通して空調空間２１に供給される。また、室内機１１１が取り込む空気は、建物２０の床下２２から外気ダクト１７１を通して取り込まれる屋外の空気と、建物２０の内部から経路１７２を通して回収される屋内の空気とである。外気ダクト１７１は、床下２２の空気を取り込む換気ファン１９に接続されている。
【００２５】
熱源機１１は、夏季には室内機１１１から冷気を送り出す冷房運転を行い、冬季には室内機１１１から暖気を送り出す暖房運転を行う。熱源機１１の冷房運転と暖房運転との切替は、春季あるいは秋季のような中間期に行う。冷房運転と暖房運転との違いは、熱源機１１の設定温度を、上限値として用いるか、下限値として用いるかの相違である。熱源機１１は、冷房運転の際は、室内機１１１から送り出す冷気の温度が上限値である熱源機１１の設定温度を上回らないように動作し、暖房運転の際は、室内機１１１から送り出す暖気の温度が下限値である熱源機１１の設定温度を下回らないように動作する。以下の説明において、暖房運転の際の熱量は暖気の熱量を意味し、冷房運転の際の熱量は冷気の熱量を意味する。
【００２６】
室内機１１１からの空気は、エアフィルタ１２を通して給気ダクト１６に送られる。エアフィルタ１２は、ＨＥＰＡフィルタ（HEPA：High Efficiency Particulate Air）であることが望ましい。エアフィルタ１２がＨＥＰＡフィルタであれば、微小粒子状物質の除去が可能である。ここに、サイズが比較的大きい塵埃及び昆虫などは、換気ファン１９と外気ダクト１７１と室内機１１１とを含む経路内の１箇所以上に配置されたフィルタによって、空気をエアフィルタ１２に導入する前に除去される。そのため、エアフィルタ１２の目詰まりが抑制される。
【００２７】
この空調システム１０では、室内機１１１から送り出されエアフィルタ１２を通過した後に搬送ファン１３に送られた空気が、給気ダクト１６に導入される。搬送ファン１３は室内機１１１からの空気を加速させる。この空調システム１０において、給気ダクト１６は、５系統に分岐した分岐ダクト１６１を備えている。つまり、室内機１１１からの空気は５系統の分岐ダクト１６１に導入される。
【００２８】
５系統の分岐ダクト１６１のそれぞれにはダンパ１４が配置される。ダンパ１４は、開度が調節可能であり、開度の変化により分岐ダクト１６１を通る空気の流量を変化させる。分岐ダクト１６１の末端には吹出口１５が接続されている。したがって、室内機１１１からの空気は、搬送ファン１３を通してダンパ１４に送られ、ダンパ１４で流量が調節された後、吹出口１５を通して空調領域２１１〜２１５のそれぞれに吹き出す。
【００２９】
上述した空調システム１０は、建物２０の換気を常時行う。そのため、原則として、搬送ファン１３は常に運転を行う。また、空調システム１０は、冷房運転あるいは暖房運転を必要としない場合、熱源機１１を停止させる。すなわち、外気ダクト１７１から室内機１１１に導入される空気は、熱源機１１が冷却あるいは加熱を行わない場合でも、換気のために搬送ファン１３により空調空間２１に送り込まれる。ただし、メンテナンスなどの必要に応じて搬送ファン１３を停止させることは可能である。また、換気扇などによる換気を行う場合、搬送ファン１３を停止させる場合もある。
【００３０】
以下では、制御装置３０について詳述する。制御装置３０は、図２に示すように、処理部３１と制御部３２とを備える。処理部３１は、複数の吹出口１５のそれぞれから、複数の空調空間２１のそれぞれに供給する熱量の配分量を定める。制御部３２は、熱源機１１と搬送ファン１３とダンパ１４との制御を行う。また、制御装置３０は、操作表示装置４０との間で情報の入力及び出力を行うためのインターフェイス部３３を備える。
【００３１】
操作表示装置４０は、表示装置とタッチパッドとを含むタッチパネルを備え、ユーザインターフェイス（GUI：Graphic User Interface）として機能する。すなわち、制御装置３０は、操作表示装置４０が備える表示装置に情報を出力し、操作表示装置４０が備えるタッチパッドから入力される情報を受け付ける。操作表示装置４０には、必要に応じて様々な画面が表示される。操作表示装置４０は、専用でなくても、スマートフォン、タブレットコンピュータ、パーソナルコンピュータなどであってもよい。また、操作表示装置４０ではなく、表示装置と操作装置とを個別に備えていてもよい。
【００３２】
操作表示装置４０に表示される画面には、空調領域２１１〜２１５のそれぞれにダンパ１４を対応付ける画面、空調領域２１１〜２１５のそれぞれに温度センサ１８を対応付けるための画面などがある。空調領域２１１〜２１５のそれぞれとダンパ１４との対応関係が定まり、空調領域２１１〜２１５のそれぞれと温度センサ１８との対応関係が定まると、空調領域２１１〜２１５のそれぞれとダンパ１４と温度センサ１８とが結び付く。また、吹出口１５はダンパ１４と一対一に対応しているから、空調領域２１１〜２１５のそれぞれとダンパ１４との対応関係が定まると、空調領域２１１〜２１５のそれぞれと吹出口１５とが結び付く。
【００３３】
ところで、操作表示装置４０に表示される画面の１つは、図３のような空調空間２１のそれぞれのユーザ希望温度を決める画面Ｐ１である。この画面Ｐ１は、複数の空調空間２１それぞれのユーザ希望温度を受け付ける複数のボタン群Ｂ１、Ｂ２、Ｂ３を有する。画面Ｐ１には、空調空間２１の名称（例えば、部屋名）を示すフィールドＦ１が設けられている。図３に示す例では、１つの画面Ｐ１で３つの空調空間２１のユーザ希望温度を定めることが可能である。建物２０が備える空調空間２１の個数が、１つの画面Ｐ１に表示可能な空調空間２１の個数を超えている場合は、画面Ｐ１に他の画面へ切り替えるボタンが表示される。このボタンが操作されると、他の画面に切り替えられ、他の空調空間２１のユーザ希望温度が設定可能になる。なお、ユーザ希望温度は、制御装置３０の処理部３１における後述の目標温度の設定処理に用いられる。
【００３４】
図３に示す例では、ボタン群Ｂ１は、３個のボタンＢ１０、Ｂ１１、Ｂ１２が上下に並ぶ。中央のボタンＢ１０は、建物２０の全体に一つ設定される基準温度に対応している。基準温度は、ユーザによる設定が可能である。また、空調システム１０には、工場出荷時に基準温度の初期値が定められていてもよい。このボタンＢ１０を操作すると、ユーザ希望温度は基準温度に定められる。また、上のボタンＢ１１を操作するとユーザ希望温度が基準温度より高く設定され、下のボタンＢ１２を操作するとユーザ希望温度が基準温度より低く設定される。ボタンＢ１１又はボタンＢ１２が操作されると、制御装置３０は、１回の操作毎に所定温度刻みでユーザ希望温度を変化させる。選択されている温度は、ボタン群Ｂ１に対応付けて数値で表示される。
【００３５】
一例として、基準温度が２６．０［℃］であり、所定温度が０．５［℃］であって、ユーザ希望温度が基準温度である場合を想定する。この場合、ボタンＢ１１を１回操作するとユーザ希望温度が２６．５［℃］に設定され、ボタンＢ１２を１回操作するとユーザ希望温度が２５．５［℃］に設定される。また、ユーザ希望温度が基準温度であるときに、ボタンＢ１１を２回操作するとユーザ希望温度は２７．０℃に設定される。設定されたユーザ希望温度にかかわらず、ボタンＢ１０を操作すると、ユーザ希望温度は基準温度である２６．０［℃］に復帰する。ここに示した数値は、空調システム１０が冷房運転の期間である場合の一例であり、これらの数値に限定する趣旨ではない。
【００３６】
ここでは、ボタン群Ｂ１の構成及び動作を説明した。ボタン群Ｂ２、Ｂ３も同様の構成及び動作である。また、１画面で３つの空調空間２１のユーザ希望温度を設定可能にする構成を例示したが、１画面でユーザ希望温度を設定する空調空間２１の個数は設計により変更可能である。さらに、ボタン群Ｂ１、Ｂ２、Ｂ３の構成及び動作は、上述した構成に限らない。例えば、複数のボタン群Ｂ１、Ｂ２、Ｂ３のそれぞれが５個ずつのボタンを備える構成でもよい。この構成では、複数のボタン群Ｂ１、Ｂ２、Ｂ３のそれぞれで、選択されているユーザ希望温度に相当するボタンを残りのボタンとは異なる表示状態とすればよい。異なる表示状態は、例えば、ボタンのサイズ、ボタンの色、ボタンに付加するマークなどの少なくとも１つの要素によって実現される。
【００３７】
複数の空調空間２１それぞれについて、画面Ｐ１を使ってユーザ希望温度が定められると、制御装置３０は、ユーザ希望温度を記憶部３４に格納する。記憶部３４には、複数の空調空間２１それぞれについてユーザ希望温度が格納される。
【００３８】
通常、制御装置３０の処理部３１は、記憶部３４に格納したユーザ希望温度を目標温度とする。すなわち、記憶部３４に格納されている複数の空調空間２１それぞれのユーザ希望温度が、複数の空調空間２１それぞれに対応する目標温度になる。なお、処理部３１は、省エネルギーモードなどで動作している場合、ユーザ希望温度を省エネルギー側に補正し、この補正した温度を目標温度として用いてもよい。
【００３９】
２個の吹出口１５が設けられている空調空間２１Ａでは、空調空間２１Ａが２個の空調領域２１１，２１２で構成されている。この場合、空調空間２１Ａに設定された目標温度は、空調領域２１１，２１２のそれぞれに対応付けられる。すなわち、空調空間２１Ａの２個の空調領域２１１，２１２のそれぞれには、共通の目標温度が設定される。
【００４０】
１個の吹出口１５が設けられている空調空間２１Ｂでは、空調空間２１Ｂが１つの空調領域であるので、目標温度と空調領域とが一対一に対応付けられる。すなわち、空調領域２１３，２１４，２１５の各目標温度は、対応する空調空間２１Ｂのそれぞれの目標温度となる。
【００４１】
図２に示す制御装置３０の処理部３１は、複数の温度センサ１８それぞれと通信する取得部３１０を備える。この空調システム１０では、取得部３１０は、温度センサ１８との間で有線通信を行い、複数の温度センサ１８に対して定期的に現在温度を問い合わせるように構成されている。すなわち、取得部３１０は、複数の温度センサ１８に対してポーリングを行うことにより、個々の温度センサ１８から現在温度を取得する。取得部３１０が複数の温度センサ１８それぞれに現在温度を問い合わせる周期は、１分以上１５分以下の範囲、望ましくは５分以上１０分以下の範囲に定められている。この周期は、温度センサ１８の計測精度、温度が変化する速さなどにより決まる。
【００４２】
取得部３１０が温度センサ１８から取得した現在温度は、取得部３１０が温度センサ１８に問い合わせたときに温度センサ１８が計測した温度である。ただし、温度センサ１８が取得部３１０からの問い合わせを受けた時点付近に定めた所定期間での温度の平均値であってもよい。この所定期間は、温度センサ１８が取得部３１０から問い合わせを受けた時点の前と後とのどちらか、あるいは、その時点を跨ぐ。この所定期間は、例えば１０秒以上３分以下の範囲、望ましくは３０秒以上１分以下の範囲に定められている。
【００４３】
制御装置３０の処理部３１は、取得部３１０に加えて、温度計算部３１１、決定部３１２を備える。ここで、説明のために、空調領域２１１〜２１５の末尾の数字を、空調領域の識別情報ｊとする。すなわち、空調領域２１１の識別情報ｊは１であり、空調領域２１２の識別情報ｊは２であり、空調領域２１３の識別情報ｊは３であり、空調領域２１４の識別情報ｊは４であり、空調領域２１５の識別情報ｊは５である。
【００４４】
温度計算部３１１は、記憶部３４に格納されている複数の空調空間２１それぞれのユーザ希望温度を、空調領域２１１〜２１５の各目標温度とする。そして、温度計算部３１１は、空調領域２１１〜２１５のそれぞれについて、目標温度と、取得部３１０が取得した現在温度とを入力として、目標温度と現在温度との温度差を計算する。この温度差は、空調領域２１１〜２１５のそれぞれの温度センサ１８の設置箇所を測定点とすると、空調領域２１１〜２１５のそれぞれの測定点における温度差である。特に、空調空間２１Ａには２つの温度センサ１８が設置されており、これらの２つの温度センサ１８の設置箇所をそれぞれ測定点５１，５２とする。
【００４５】
まず、熱源機１１が冷気を生成し、吹出口１５から冷気が吹き出される冷房運転時において、温度計算部３１１は以下のように温度差を計算する。識別情報がｊである空調領域について、取得部３１０が取得した現在温度をθｊ１で表し、目標温度をθｊ２で表すと、温度計算部３１１は、この空調領域の温度差Δθｊを、Δθｊ＝θｊ１−θｊ２という計算で求め、正負の符号付きで出力する。
【００４６】
また、熱源機１１が暖気を生成し、吹出口１５から暖気が吹き出される暖房運転時において、温度計算部３１１は以下のように温度差を計算する。識別情報がｊである空調領域について、取得部３１０が取得した現在温度をθｊ１で表し、目標温度をθｊ２で表すと、温度計算部３１１は、この空調領域の測定点の温度差Δθｊを、Δθｊ＝θｊ２−θｊ１という計算で求め、正負の符号付きで出力する。
【００４７】
温度計算部３１１は、空調領域２１１〜２１５のそれぞれの測定点について温度差Δθｊを求める。温度計算部３１１が求めた温度差Δθｊは、空調領域２１１〜２１５の各識別情報ｊに対応付けて記憶部３４に一時的に格納される。記憶部３４に格納されている温度差Δθｊは、取得部３１０が現在温度θｊ１を取得すると更新される。
【００４８】
決定部３１２は、空調領域２１１〜２１５のそれぞれの測定点の温度差Δθｊを用いて、空調領域２１１〜２１５の各吹出口１５に熱源機１１から供給する熱量の配分量を定める。空調領域２１１〜２１５の各吹出口１５のそれぞれに配分される熱量は、ダンパ１４それぞれの開度と、搬送ファン１３の風量と、熱源機１１が単位時間当たりに生成する熱量とにより定まる。決定部３１２は、空調領域２１１〜２１５の測定点の各温度差Δθｊに基づいて、ダンパ１４それぞれの開度を定めた後に、搬送ファン１３の風量及び熱源機１１が単位時間当たりに生成する熱量を定める。
【００４９】
そして、空調システム１０における空調制御には、基本空調制御と、優先空調制御とがある。
【００５０】
基本空調制御は、以下のように行われる。以下では、ダンパ１４の開度を定める機能を説明した後、建物２０に配置されたすべてのダンパ１４の開度に基づいて、搬送ファン１３の風量及び熱源機１１が単位時間当たりに生成する熱量を定める機能を説明する。ダンパ１４の開度を定める機能については、空調領域の識別情報ｊは省略して説明する。
【００５１】
空調システム１０が冷房運転である場合、現在温度が目標温度を上回っていると、熱源機１１からの冷気を空調空間２１に供給し、現在温度を目標温度付近に維持しなければならない。冷房運転では、空調空間２１において、現在温度が目標温度を上回っていることは冷房が不足であることを表している。また、空調空間２１において、現在温度が目標温度に近付いていることは、冷房の充足を表しており、現在温度が目標温度を下回っていることは冷房が過剰であることを表している。
【００５２】
冷房が不足である場合、現在温度が目標温度より高いほど単位時間当たりに空調空間２１に供給する冷気の熱量を増加させる必要がある。言い換えると、冷房が不足であれば、現在温度が目標温度を上回り、かつ目標温度に対する現在温度の差が大きいほど、冷房の不足の程度が大きいと言える。
【００５３】
温度計算部３１１は、空調システム１０が冷房運転である場合、現在温度から目標温度を減算した温度差を正負の符号付きで求める。したがって、温度計算部３１１が求めた温度差が正であれば、冷房が不足であることを表し、温度差Δθが大きいほど冷房の不足の程度が大きいことを表す。
【００５４】
また、空調システム１０が暖房運転である場合、現在温度が目標温度を下回っていると、熱源機１１からの暖気を空調空間２１に供給し、現在温度を目標温度付近に維持しなければならない。暖房運転では、空調空間２１において、現在温度が目標温度を下回っていることは暖房が不足であることを表している。また、空調空間２１において、現在温度が目標温度に近付いていることは、暖房の充足を表しており、現在温度が目標温度を上回っていることは暖房が過剰であることを表している。
【００５５】
暖房が不足である場合、現在温度が目標温度より低いほど単位時間当たりに空調空間２１に供給する暖気の熱量を増加させる必要がある。言い換えると、暖房が不足であれば、現在温度が目標温度を下回り、かつ目標温度に対する現在温度の差が大きいほど、暖房の不足の程度が大きいと言える。
【００５６】
温度計算部３１１は、空調システム１０が暖房運転である場合、目標温度から現在温度を減算した温度差を正負の符号付きで求める。したがって、温度計算部３１１が求めた温度差が正であれば、暖房が不足であることを表し、温度差Δθが大きいほど暖房の不足の程度が大きいことを表す。
【００５７】
そこで、処理部３１は、温度差Δθと開度とを対応付けた表１のような形式の第１制御テーブル３１３を備える。第１制御テーブル３１３では、温度差が複数の区間に区分され、複数の区間それぞれにダンパ１４の開度が対応している。表１の第１制御テーブル３１３では、温度差Δθが正である区間を温度差Δθが負である区間よりも多く設けている。
【００５８】
【表１】
2018109456.tif 000003
【００５９】
この第１制御テーブル３１３は、一例として、温度差Δθについて１［℃］の間隔で５つの区間を定めている。この第１制御テーブル３１３では、温度差Δθが正であって相対的に大きい区間に対してダンパ１４の開度として相対的に大きい開度が対応している。すなわち、第１制御テーブル３１３では、空調の不足（冷房または暖房の不足）の際に、不足の程度が大きいほど、空調空間２１に単位時間当たりに供給される冷熱の熱量が多くなるように、ダンパ１４の開度が設定されている。
【００６０】
表１に示す第１制御テーブル３１３では、空調が過剰であっても、現在温度が目標温度より１［℃］離れるまでは、空調空間２１の温度が不快側に変動しない程度の熱量を供給するように、ダンパ１４の開度が設定されている（２５［％］）。また、表１に示す第１制御テーブル３１３では、温度差が＋２［℃］を上回った場合は、ダンパ１４の開度が最大になるように定められている（１００［％］）。さらに、表１に示す第１制御テーブル３１３では、空調が過剰である場合に、現在温度が目標温度より１［℃］を超えて離れると、ダンパ１４の開度が最小になるように定められている（５［％］）。ダンパ１４の最小の開度は、空調空間２１で最低限度の換気が確保できるように定められる。ただし、搬送ファン１３を停止させても空調空間２１の換気が可能である場合、ダンパ１４は閉じてもよい。この場合、ダンパ１４の開度は０［％］である。
【００６１】
上述した動作では、取得部３１０が複数の空調空間２１それぞれの現在温度を取得すると、決定部３１２が複数の空調空間２１それぞれの空調領域に対応するダンパ１４の開度を求める。決定部３１２は、複数の空調空間２１それぞれの空調領域それぞれに配分する単位時間当たりの熱量を決めるために、ダンパ１４の開度を求めた後には、搬送ファン１３の風量を求める。搬送ファン１３の風量は、複数段階から選ぶことが可能であり、この空調システム１０では、搬送ファン１３の風量が４段階から選ばれる。
【００６２】
この空調システム１０では搬送ファン１３に５個のダンパ１４を対応させているから、決定部３１２は、搬送ファン１３の風量を、５個のダンパ１４の開度に基づいて定める。搬送ファン１３の風量は、ダンパ１４の開度とあらかじめ対応付けてある。決定部３１２は、搬送ファン１３に対応した５個のダンパ１４それぞれの開度を決めた後、５個のダンパ１４それぞれの開度の合計あるいは平均に対応するように、搬送ファン１３の風量を定める。
【００６３】
熱源機１１の設定温度は、空調システム１０が冷房運転であれば、複数の空調空間２１の目標温度のうちの最低温度よりも低い温度に設定される。また、熱源機１１の設定温度は、空調システム１０が暖房運転であれば、複数の空調空間２１の目標温度のうちの最高温度よりも高い温度に設定される。この温度は、複数の空調空間２１の目標温度のうちの最高温度に、適宜の温度を加算した値に定められる。最高温度に加算する温度は、１［℃］以上７［℃］未満の範囲から選択され、一例として４［℃］に設定される。熱源機１１の設定温度が決まると、熱源機１１が単位時間当たりに供給する熱量は、風量によって調節される。したがって、決定部３１２は、熱源機１１の風量を、搬送ファン１３の風量に応じて決定する。また、決定部３１２は、熱源機１１の風量を、搬送ファン１３の風量に近くなるように決定する。
【００６４】
上述の基本空調制御では、決定部３１２は、複数の吹出口１５からそれぞれ単位時間当たりに供給される熱量を、複数の吹出口１５のそれぞれに対応する空調空間２１の測定点の温度差に基づいて決定している。
【００６５】
上述の第１制御テーブル３１３に基づく空調制御が基本空調制御である。しかし、制御装置３０は、２個の空調領域２１１，２１２で構成されている空調空間２１Ａの空調制御については、第２制御テーブル３１４に基づく優先空調制御をさらに行う。
【００６６】
図４は、空調空間２１Ａの概略を示す。空調空間２１Ａは、建物２０のリビングであり、吹き抜け構造になっている。すなわち、空調空間２１Ａの天井は、２階の空調空間２１Ｂの天井とほぼ同じ高さにあり、標準の部屋よりも上下方向に広い空間になっている。空調空間２１Ａには、２つの吹出口１５が設けられており、２つの吹出口１５をそれぞれ、第１吹出口１５１、第２吹出口１５２とする。第１吹出口１５１は、空調空間２１Ａの下方の空調領域２１１に向かって冷気又は暖気を吹き出す。第２吹出口１５２は、空調空間２１Ａの上方の空調領域２１２に向かって冷気又は暖気を吹き出す。
【００６７】
空調領域２１１は、空調空間２１Ａの床側であり、空調空間２１Ａ内の人が存在する領域になる。空調領域２１２は、空調空間２１Ａの天井側であり、空調空間２１Ａ内の人より上方の領域になる。したがって、空調空間２１Ａ内の人の快適性を考慮すると、空調領域２１１の空調環境が空調領域２１２の空調環境より優先されることが好ましい。
【００６８】
そこで、空調領域２１１の温度センサ１８の設置箇所である測定点５１を、優先測定点５１とする。また、空調領域２１２の温度センサ１８の設置箇所である測定点５２を、非優先測定点５２とする。なお、優先測定点５１（空調領域２１１の温度センサ１８の設置箇所）は、空調空間２１Ａの床面から１．０〜１．２ｍ程度の高さに設定されることが好ましい。また、非優先測定点５２（空調領域２１２の温度センサ１８の設置箇所）は、建物２０の２階の部屋の床面から１．０〜１．２ｍ程度の高さに設定されることが好ましい。
【００６９】
そして、決定部３１２は、空調空間２１Ａ内の第１吹出口１５１及び第２吹出口１５２からそれぞれ単位時間当たりに供給する熱量を決定する際に、優先測定点５１の現在温度を目標温度に近付けることを、非優先測定点５２の現在温度を目標温度に近付けることより優先させる機能を有する。
【００７０】
そこで、処理部３１は、表２のような形式の第２制御テーブル３１４を備える。第２制御テーブル３１４は、優先測定点５１における温度差Δθ１と、非優先測定点５２における温度差Δθ２と、第１吹出口１５１及び第２吹出口１５２を用いた各空調制御との関係を定義している。
【００７１】
【表２】
2018109456.tif 000004
【００７２】
なお、第２制御テーブル３１４において、「１５１：通常」は、決定部３１２が、優先測定点５１の温度差Δθ１に応じて、第１吹出口１５１から単位時間当たりに供給する熱量を決定することを示す。また、第２制御テーブル３１４において、「１５２：通常」は、決定部３１２が、非優先測定点５２の温度差Δθ２に応じて、第２吹出口１５２から単位時間当たりに供給する熱量を決定することを示す。すなわち、「通常」の空調制御は、第１制御テーブルを参照した基本空調制御と同じになる。
【００７３】
また、第２制御テーブル３１４において、「１５１：第１補助」は、決定部３１２が、非優先測定点５２の温度差Δθ２に応じて、第１吹出口１５１から単位時間当たりに供給する熱量を決定することを示す。また、第２制御テーブル３１４において、「１５２：第２補助」は、決定部３１２が、優先測定点５１の温度差Δθ１に応じて、第２吹出口１５２から単位時間当たりに供給する熱量を決定することを示す。
【００７４】
すなわち、「第１補助」の空調制御では、非優先測定点５２が第１測定点となり、優先測定点５１が第２測定点となる。そして、「第１補助」の空調制御では、決定部３１２が、第１制御テーブル３１３を参照して、空調領域２１１に対応するダンパ１４の開度を、空調領域２１２の温度差Δθ２に応じて求める。また、「第２補助」の空調制御では、優先測定点５１が第１測定点となり、非優先測定点５２が第２測定点となる。そして、「第２補助」の空調制御では、決定部３１２が、第１制御テーブル３１３を参照して、空調領域２１２に対応するダンパ１４の開度を、空調領域２１１の温度差Δθ１に応じて求める。
【００７５】
また、第２制御テーブル３１４において、Ｔ１は温度差の閾値であり、例えば＋１℃〜＋３℃の範囲内で設定されることが好ましい。
【００７６】
そして、決定部３１２は、第２制御テーブル３１４を参照して、第１吹出口１５１及び第２吹出口１５２を用いた各空調制御を決定する。なお、表２において、温度差Δθ１，Δθ２は「不足度」とそれぞれ言い換えることができる。
【００７７】
表２において、Δθ１が閾値Ｔ１［℃］より大きい場合、空調領域２１１の空調が不足していることを表す。Δθ２が閾値Ｔ１［℃］より大きい場合、空調領域２１２の空調が不足していることを表す。また、Δθ１が０［℃］より大きく、閾値Ｔ１［℃］以下である場合、空調領域２１１の空調が充足していることを表す。Δθ２が０［℃］より大きく、閾値Ｔ１［℃］以下である場合、空調領域２１２の空調が充足していることを表す。また、Δθ１が０［℃］以下である場合、空調領域２１１の空調が過剰であることを表す。Δθ２が０［℃］以下である場合、空調領域２１２の空調が過剰であることを表す。
【００７８】
まず、優先測定点５１及び非優先測定点５２の各温度差Δθ１，Δθ２が閾値Ｔ１［℃］を上回る場合、決定部３１２は、「１５１：通常」及び「１５２：通常」とする。すなわち、空調領域２１１、２１２の両方において空調が不足している場合、決定部３１２は、空調領域２１１の空調の不足状態を解消する方向に空調領域２１１を空調制御し、空調領域２１２の空調の不足状態を解消する方向に空調領域２１２を空調制御する。言い換えれば、空調領域２１１，２１２のそれぞれは、互いに独立して空調制御される。
【００７９】
また、優先測定点５１の温度差Δθ１が閾値Ｔ１［℃］を上回り、非優先測定点５２の温度差Δθ２が閾値Ｔ１［℃］以下である場合、決定部３１２は、「１５１：通常」及び「１５２：第２補助」とする。すなわち、空調領域２１１において空調が不足し、空調領域２１２において空調が充足または過剰である場合、決定部３１２は、空調領域２１１の空調の不足状態を解消する方向に空調領域２１１、２１２をそれぞれ空調制御する。言い換えれば、空調領域２１１において空調が不足した場合、空調領域２１２において空調が充足または過剰であっても、空調領域２１１の空調の不足状態を解消する方向に空調領域２１２を空調制御する。したがって、空調領域２１１の空調の不足状態が解消されて、結果的に空調領域２１２の空調環境よりも、空調領域２１１内の人の快適性が優先されることになる。
【００８０】
また、優先測定点５１の温度差Δθ１が０［℃］を上回りかつ閾値Ｔ１［℃］以下であり、非優先測定点５２の温度差Δθ２が閾値Ｔ１［℃］を上回る場合、決定部３１２は、「１５１：第１補助」及び「１５２：通常」とする。すなわち、空調領域２１１において空調が充足し、空調領域２１２において空調が不足している場合、決定部３１２は、空調領域２１２の空調の不足状態を解消する方向に空調領域２１１、２１２をそれぞれ空調制御する。言い換えれば、空調領域２１２において空調が不足した場合、空調領域２１１において空調が充足していても、空調領域２１２の空調の不足状態を解消する方向に空調領域２１１を空調制御する。したがって、空調領域２１１の快適性が維持される範囲で、空調領域２１２の空調環境が改善される。
【００８１】
また、優先測定点５１の温度差Δθ１が０［℃］以下であり、非優先測定点５２の温度差Δθ２が閾値Ｔ１［℃］を上回る場合、決定部３１２は、「１５１：通常」及び「１５２：通常」とする。すなわち、空調領域２１１において空調が過剰であり、空調領域２１２において空調が不足している場合、決定部３１２は、空調領域２１１の空調の過剰状態を解消する方向に空調領域２１１を空調制御し、空調領域２１２の空調の不足状態を解消する方向に空調領域２１２を空調制御する。言い換えれば、空調領域２１１、２１２のそれぞれは、互いに独立して空調制御されており、空調領域２１２において空調が不足した場合でも、空調領域２１１において空調が過剰であれば、空調領域２１２の空調の不足状態を解消する方向に空調領域２１１を空調制御しない。したがって、空調領域２１１の過剰状態が解消されて、結果的に空調領域２１２の空調環境よりも、空調領域２１１内の人の快適性が優先されることになる。
【００８２】
また、優先測定点５１及び非優先測定点５２の各温度差Δθ１，Δθ２が閾値Ｔ１［℃］以下である場合、決定部３１２は、「１５１：通常」及び「１５２：通常」とする。すなわち、空調領域２１１、２１２の両方において空調が充足または過剰である場合、決定部３１２は、空調領域２１１の空調の充足状態を維持する方向、または空調の過剰状態を解消する方向に空調領域２１１を空調制御する。また、決定部３１２は、空調領域２１２の空調の充足状態を維持する方向、または空調の過剰状態を解消する方向に空調領域２１２を空調制御する。言い換えれば、空調領域２１１、２１２のそれぞれは、互いに独立して空調制御される。
【００８３】
上述のように、制御装置３０は、通常は、空調領域２１１、２１２のそれぞれの現在温度を目標温度に近付けるように空調制御して、空調空間２１Ａ内の温度が不均一になる温度むらの発生を抑制している。しかし、人の居住領域である空調領域２１１の空調が不足して、空調領域２１１の快適性が低下している場合、制御装置３０は、空調領域２１１の快適性が向上するように、空調領域２１２を空調制御する。すなわち、制御装置３０は、優先度が低い空調領域２１２の空調環境よりも、優先度が高い空調領域２１１の快適性を向上させる。
【００８４】
また、制御装置３０は、優先度が高い空調領域２１１の快適性を維持できるのであれば、空調領域２１１の空調制御を空調領域２１２のために用いて、優先度が低い空調領域２１２の空調環境を改善させる。しかし、制御装置３０は、空調領域２１１の快適性が維持されないのであれば、空調領域２１２の空調環境を改善するために空調領域２１１を空調制御することはない。すなわち、制御装置３０は、優先度が高い空調領域２１１の快適性が維持される範囲で空調領域２１１を空調制御して、優先度が低い空調領域２１２の空調環境を改善する。
【００８５】
したがって、制御装置３０は、１つの空調空間２１Ａ内に２つの空調領域２１１，２１２を設けた場合に、２つの空調領域２１１，２１２のそれぞれの空調の優先度に応じて空調制御を行うことができる。この結果、制御装置３０は、１つの空調空間２１Ａに複数の吹出口１５１，１５２を備える場合に、空調空間２１Ａ内の空調効率のさらなる向上を図ることができる。
【００８６】
また、１つの空調空間２１Ａ内に設ける空調領域の数は３つ以上であってもよい。この場合、制御装置３０は、３つ以上の各空調領域の空調の優先度に応じて空調制御を行い、優先度が低い空調領域の空調環境よりも、優先度が高い空調領域の快適性を向上させる。また、制御装置３０は、優先度が高い空調領域の快適性が維持される範囲で、優先度が高い空調領域の空調制御を優先度が低い空調領域のために用いて、優先度が低い空調領域の空調環境を改善させる。
【００８７】
また、制御装置３０は、１つの空調空間２１Ａ内に設ける複数の空調領域のそれぞれを水平方向に並ぶように設けてもよい。この場合、空調領域に存在する人の数が多いほど、空調領域の優先度が高くなる。制御装置３０は、複数の空調領域のそれぞれに存在する人の数を人感センサなどによって検知して、複数の空調領域のそれぞれの優先度を設定することが好ましい。
【００８８】
また、処理部３１は、表３のような形式の第２制御テーブル３１４を備えてもよい。この場合、優先測定点５１及び非優先測定点５２は、優先度が互いに等しいので、単に測定点５１，５２と呼ぶ。表３では、測定点５１の温度差Δθ１が閾値Ｔ１［℃］を上回り、測定点５２の温度差Δθ２が０［℃］以下である場合に、決定部３１２が「１５１：通常」及び「１５２：通常」とする点が、表２とは異なる。すなわち、空調領域２１１，２１２のそれぞれに対して、同様の空調制御がなされる。
【００８９】
【表３】
2018109456.tif 000005
【００９０】
したがって、制御装置３０は、１つの空調空間２１Ａ内に２つの空調領域２１１，２１２を設けた場合に、２つの空調領域２１１，２１２のそれぞれの空調の優先度を等しくして空調制御を行うことができる。この場合、２つの空調領域２１１，２１２のそれぞれのうち、空調能力に余裕がある一方が、空調能力に余裕がない他方を補助している。この結果、制御装置３０は、１つの空調空間２１Ａに複数の吹出口１５１，１５２を備える場合に、空調空間２１Ａ内の空調効率のさらなる向上を図ることができる。
【００９１】
また、空調システム１０は、１つの空調空間２１Ａ内に互いに優先度が等しい３つ以上の空調領域を設けてもよい。また、制御装置３０は、１つの空調空間２１Ａ内に設ける複数の空調領域のそれぞれを水平方向に並ぶように設けてもよい。
【００９２】
上述した制御装置３０は、プログラムを実行するプロセッサを備えるデバイスを主なハードウェア構成として実現される。プロセッサを備えるデバイスは、半導体メモリを別に設けるＭＰＵ（Micro Processing Unit）のほか、半導体メモリと合わせて単一のパッケージに収納したマイクロコントローラ（Micro-Controller）でもよい。制御装置３０は、メモリとして、少なくともＲＡＭ（Random Access Memory）を備え、他にＲＯＭ（Read-Only Memory）とＥＥＰＲＯＭ（Electrically Erasable Programmable Read-Only Memory）との少なくとも一方を備えることが望ましい。
【００９３】
プログラムは、ＲＯＭに書き込まれた状態で提供されるほか、光学記録ディスクのような記録媒体あるいはフラッシュメモリを備える記録媒体であって、コンピュータ読取可能な記録媒体によって提供されてもよい。また、プログラムは、インターネット、移動体通信網などの電気通信回線を通して提供されてもよい。記録媒体あるいは電気通信回線により提供されるプログラムは、書換可能な不揮発性メモリ（例えば、ＥＥＰＲＯＭ）に格納されることが望ましい。
【００９４】
建物２０は、戸建て住宅に限らず、集合住宅、店舗などの他の建物であってもよい。空調システム１０として、ヒートポンプ式の熱源機１１を備える構成を例示したが、空調システム１０は、温水あるいは冷水を複数のファンコイルユニットに通す構成などであってもよい。また、空調システム１０は、空調領域ごとにエアーコンディショナを個別に設ける構成であってもよい。上述した空調システム１０では、エアフィルタ１２としてＨＥＰＡフィルタを採用しているが、他の構成のエアフィルタ１２を用いることを妨げない。上述した搬送ファン１３の台数、ダンパ１４及び吹出口１５の個数、温度センサ１８の個数、空調空間２１の個数などは一例であり、適宜に変更される。また、搬送ファン１３は空調システム１０の必須構成ではない。すなわち、空調システム１０は、熱源機１１が生成した冷気又は暖気が、加速されることなくダンパ１４を通って吹出口１５から吹き出す構成であってもよい。
【００９５】
表１に示しているダンパ１４の開度は一例であって、空調システム１０の仕様に応じて適宜に変更される。例えば、表１のうち、７０［％］と記載している値は、５０［％］以上９０［％］以下の範囲で適宜の値に定められ、４０［％］と記載している値は、３０［％］以上６０［％］以下の範囲で適宜の値に定められる。また、２５［％］と記載している値は、１５［％］以上３０［％］以下の範囲の適宜の値に定められる。表１のうち、５［％］は常時換気の最小限度の換気量を考慮して、５［％］以上１０［％］以下の範囲の適宜の値に定められる。空調システム１０とは別に常時換気を行う場合には、ダンパ１４の開度の最小値は０［％］であってもよい。ここに記載した数値の範囲も一例であり、設計などによって適宜に変更される。
【００９６】
また、表１では、温度差の区間の最小単位は１［℃］に定めているが、温度差の区間の最小単位は０．１［℃］以上１．５［℃］以下の範囲で適宜に定めることが可能であり、０．１［℃］以上１．０［℃］以下の範囲であればなお望ましい。表１の区間の個数は５つに限らず適宜に定めることが可能である。
【００９７】
また、表１では、温度差の区間を２［℃］、１［℃］、０［℃］、−１［℃］で区切っているが、温度差の区間は適宜に定めることが可能である。
【００９８】
上述した空調システム１０において、取得部３１０は、温度センサ１８との間で有線通信を行っているが、無線通信を行ってもよく、建物２０において有線通信と無線通信とが混在していてもよい。取得部３１０と温度センサ１８との間の通信規約にはとくに制限はない。また、上述した空調システム１０では、取得部３１０が複数の温度センサ１８それぞれに現在温度を問い合わせる構成であるが、複数の温度センサ１８が適宜のタイミングで現在温度を取得部３１０に送信する構成であってもよい。
【００９９】
また、空調空間２１Ａは、建物の２階と３階とがつながる吹き抜け構造であってもよい。すなわち、吹き抜け構造は、特定の階をつなげる構造に限定されない。
【０１００】
上述の実施形態に係る第１の態様の空調システム用の制御装置３０は、建物２０の空調空間２１Ａに設けた複数の吹出口１５１，１５２から空調空間２１Ａ内の複数の空調領域２１１，２１２に向かって冷気又は暖気をそれぞれ吹き出す空調システム１０が備える制御装置である。制御装置３０は、複数の吹出口１５１，１５２から空調空間２１Ａに冷気又は暖気によってそれぞれ供給する熱量を定める処理部３１を備える。処理部３１は、以下の各機能を有する。
・複数の空調領域２１１，２１２にそれぞれ設けられて複数の吹出口１５１，１５２にそれぞれ対応付けられている複数の測定点５１，５２の現在温度と目標温度との温度差を、複数の測定点５１，５２のそれぞれの温度差Δθ１，Δθ２として求める機能。
・複数の測定点５１，５２のそれぞれの温度差Δθ１，Δθ２に応じて、複数の吹出口１５１，１５２からそれぞれ供給する熱量を決定する機能。
・複数の測定点５１，５２のうちの第１測定点（５１，５２の一方）の温度差が、複数の測定点５１，５２のうちの第２測定点（５１，５２の他方）の温度差より大きい場合、第２測定点に対応する吹出口から供給する熱量を、第１測定点に対応する温度差に応じて決定する機能。
【０１０１】
したがって、制御装置３０は、１つの空調空間２１Ａに複数の吹出口１５１，１５２を備える場合に、空調空間２１Ａ内の空調効率のさらなる向上を図ることができる。
【０１０２】
また、実施形態に係る第２の態様の空調システム用の制御装置３０では、第１の態様において、処理部３１は、取得部３１０と、温度計算部３１１と、決定部３１２とを備えることが好ましい。取得部３１０は、複数の測定点５１，５２のそれぞれの現在温度を取得する。温度計算部３１１は、複数の測定点５１，５２のそれぞれの温度差Δθ１，Δθ２を求める。決定部３１２は、複数の測定点５１，５２のそれぞれの温度差Δθ１，Δθ２に応じて、複数の吹出口１５１，１５２からそれぞれ供給する熱量を決定する。そして、温度計算部３１１は、複数の吹出口１５１，１５２から冷気が吹き出される場合、現在温度から目標温度を引いた値を温度差Δθ１，Δθ２として求め、複数の吹出口１５１，１５２から暖気が吹き出される場合、目標温度から現在温度を引いた値を温度差Δθ１，Δθ２として求める。決定部３１２は、第１測定点の温度差が正の閾値Ｔ１より大きく、かつ第２測定点の温度差が正の閾値Ｔ１以下で０より大きい場合、第１測定点の温度差に応じて、第１測定点及び第２測定点に対応する吹出口１５１，１５２からそれぞれ供給する熱量を決定する。
【０１０３】
したがって、制御装置３０は、第１測定点に対応する空調領域（２１１または２１２の一方）の空調環境の快適性を、第２測定点に対応する吹出口（１５１または１５２）から供給される熱量によって向上させることができる。
【０１０４】
また、実施形態に係る第３の態様の空調システム用の制御装置３０では、第２の態様において、複数の測定点５１，５２のそれぞれは、優先測定点または非優先測定点に予め設定されている。第１測定点が優先測定点５１であり、第２測定点が非優先測定点５２である。決定部３１２は、第１測定点の温度差が正の閾値Ｔ１より大きく、かつ第２測定点の温度差が０以下である場合、以下の処理を行う。この場合、決定部３１２は、第１測定点の温度差に応じて、第１測定点及び第２測定点に対応する吹出口からそれぞれ供給する熱量を決定する。
【０１０５】
したがって、制御装置３０は、優先度が低い空調領域２１２の空調環境よりも、優先度が高い空調領域２１１内の人の快適性を優先して、空調領域２１１の快適性を向上させることができる。
【０１０６】
また、実施形態に係る第４の態様の空調システム用の制御装置３０では、第３の態様において、複数の吹出口１５１，１５２は、空調空間２１Ａの上下方向において互いに異なる位置にそれぞれ配置される。この場合、処理部３１は、複数の吹出口１５１，１５２のうち、空調空間２１Ａの下方に配置された吹出口１５１に対応する測定点を、優先測定点５１とすることが好ましい。
【０１０７】
一般に、上下方向に広い空調空間２１Ａは、人の居住領域である下方の空調領域２１１と、天井に近い上方の空調領域２１２とで温度むらができやすい。例えば、冷房時は冷気が下方にたまりやすくなり、暖房時は暖気が上方にたまりやすくなる。しかし、制御装置３０は、優先測定点５１の現在温度を目標温度に近付けることを優先させるので、上下方向に広い空調空間２１Ａにおいても人の快適性を向上させることができる。
【０１０８】
また、実施形態に係る第５の態様の空調システム用の制御装置３０では、第４の態様において、処理部３１は、複数の吹出口１５１，１５２のうち、空調空間２１Ａの最も下に配置された吹出口１５１に対応する測定点を、優先測定点５１とすることが好ましい。
【０１０９】
したがって、制御装置３０は、人の居住領域に設置された優先測定点５１の現在温度を目標温度に近付けることを優先させるので、上下方向に広い空調空間２１Ａにおいても人の快適性を向上させることができる。
【０１１０】
また、実施形態に係る第６の態様の空調システム用の制御装置３０では、第１乃至第５の態様のいずれか一つにおいて、冷気又は暖気は、空調システム１０の熱源機１１が生成することが好ましい。さらに、制御装置３０は、熱源機１１が生成した冷気又は暖気を複数の吹出口１５１，１５２にそれぞれ配分する分配装置１０２を制御する制御部３２をさらに備えることが好ましい。
【０１１１】
したがって、制御装置３０は、熱源機１１が生成した冷気又は暖気を複数の吹出口１５１，１５２にそれぞれ配分することによって、複数の吹出口１５１，１５２からそれぞれ供給する熱量を制御することができる。
【０１１２】
また、実施形態に係る第７の態様の空調システム用の制御装置３０では、第６の態様において、分配装置１０２は、給気ダクト１６と、複数のダンパ１４とを備えることが好ましい。給気ダクト１６は、熱源機１１が生成した冷気又は暖気を複数の吹出口１５１，１５２にそれぞれ配分するように複数系統に分岐している。ダンパ１４は、給気ダクト１６の複数系統それぞれから複数の吹出口１５１，１５２を通して空調空間２１Ａに供給する冷気又は暖気の流量を調節する。
【０１１３】
したがって、制御装置３０は、ダンパ１４を制御することによって、複数の吹出口１５１，１５２からそれぞれ供給する熱量を制御することができる。
【０１１４】
上述の実施形態に係る第８の態様の空調システム１０は、熱源機１１と、分配装置１０２と、複数の温度センサ１８と、上述の第１乃至第７の態様のいずれか一つの制御装置３０とを備える。熱源機１１は、建物２０の空調空間２１Ａに設けた複数の吹出口１５１，１５２をそれぞれ通して空調空間２１Ａに供給する冷気又は暖気を生成する。分配装置１０２は、熱源機１１が生成した冷気又は暖気を複数の吹出口１５１，１５２にそれぞれ配分する。複数の温度センサ１８は、複数の吹出口１５１，１５２にそれぞれ対応する複数の測定点５１，５２の温度を計測する。制御装置３０は、複数の温度センサ１８が計測した温度を現在温度として取得する。
【０１１５】
したがって、空調システム１０は、１つの空調空間２１Ａ内に２つの空調領域２１１，２１２を設けた場合に、２つの空調領域２１１，２１２のそれぞれの空調の優先度に応じて空調制御を行うことができる。
【０１１６】
以上説明した実施形態は、本発明の様々な実施形態の一部に過ぎない。また、上述した実施形態は、本発明の目的を達成できれば、設計等に応じて種々の変更が可能である。
【符号の説明】
【０１１７】
１０  空調システム
１１  熱源機
１３  搬送ファン
１４  ダンパ
１５  吹出口
１６  給気ダクト
２０  建物
２１（２１Ａ，２１Ｂ）  空調空間
３０  制御装置
３１  処理部
３２  制御部
５１  測定点（優先測定点）（第１測定点、第２測定点）
５２  測定点（非優先測定点）（第１測定点、第２測定点）
１０２  分配装置
１５１  第１吹出口（吹出口）
１５２  第２吹出口（吹出口）
１６１  分岐ダクト
２１１〜２１５  空調領域
３１０  取得部
３１１  温度計算部
３１２  決定部
３１３  第１制御テーブル
３１４  第２制御テーブル
Ｔ１  閾値
Δθｊ，Δθ１，Δθ２  温度差
【図１】
2018109456.tif 000006
【図２】
2018109456.tif 000007
【図３】
2018109456.tif 000008
【図４】
2018109456.tif 000009